(57)【要約】【課題】  指圧棒とマイナスイオン発生装置とを結合させることで、押すと同時に近距離でマイナスイオンを放射することが可能である衝撃式痛み緩和指圧棒を提供する。【解決手段】  第一装着棒１０と衝撃ユニット４０を含む。第一装着棒１０は、装着孔を有する棒体と、錐形を呈しかつ棒体の軸方向の一端に連接する指圧ユニット１２と、指圧ユニット１２の内部に設けられる設置部と、設置部に装着される受撃ユニット１７とを有する。衝撃ユニット４０は、第一装着棒１０の装着孔に活動可能であるように装着される第一衝撃部４３を有し、そのうち第一衝撃部４３が第一装着棒１０の受撃ユニット１７に衝撃を与え、放射作用を発生させる。【選択図】    図１
2006055644.tif 000002
【特許請求の範囲】
【請求項１】
装着孔が形成されている棒体、錐形を呈し前記棒体の軸方向の一端に連接する指圧ユニット、前記指圧ユニットの内部に設けられる設置部、および前記設置部に装着される受撃ユニットを有する第一装着棒と、
前記第一装着棒の前記装着孔に移動可能に装着される第一衝撃部を有し、前記第一衝撃部が前記第一装着棒の前記受撃ユニットに衝撃を与え、放射作用を発生させる衝撃ユニットと、
を備えることを特徴とする衝撃式痛み緩和指圧棒。
【請求項２】
前記第一装着棒に連接するスライド座を備え、
前記衝撃ユニットは前記スライド座のスライド孔を貫通してスライド可能な軸棒を有することを特徴とする請求項１に記載の衝撃式痛み緩和指圧棒。
【請求項３】
前記第一装着棒に連接する第二装着棒を有することを特徴とする請求項１に記載の衝撃式痛み緩和指圧棒。
【請求項４】
前記第一装着棒は、受撃ユニットに被せられ、衝撃ユニットからの衝撃を受ける隔離ユニットを有することを特徴とする請求項１に記載の衝撃式痛み止めマッサージ棒。
【請求項５】
前記第一装着棒の受撃ユニットは、マイナスイオン生成部または菌組成物であることを特徴とする請求項１に記載の衝撃式痛み緩和指圧棒。
【発明の詳細な説明】
【技術分野】
【０００１】
本発明は、医療器材に関し、特に衝撃式痛み緩和指圧棒に関するものである。
【背景技術】
【０００２】
周知の指圧棒は単一な棒体を呈し、人体の灸点など所定の部位を押すのに用いられ、人体の痛みを緩和するか医療効果を発揮するものである。
また、効果を高めるために人体にマイナスイオンをかけることが利用されている。しかし、独立のマイナスイオン発生装置が一つ増えるため、使用者は両手で別々に指圧棒とマイナスイオン発生装置を持つ必要がある。したがって、使用に不便な点を有する。また、マイナスイオンがかけられる部位の距離が離れるか、はっきりしていないため、治療効果はあまり安定しない。
また、前述マイナスイオン発生装置は電力の供給を受けないとマイナスイオンを発生しないため、使用上の制限が余計に多くなる。
【発明の開示】
【発明が解決しようとする課題】
【０００３】
本発明者は、上述の欠点に鑑みて研究に熱心であった結果、本発明の衝撃式痛み緩和指圧棒を完成させた。
本発明の主な目的は、指圧棒とマイナスイオン発生装置とを結合させることで、押すと同時に近距離でマイナスイオンを放射することが可能である衝撃式痛み緩和指圧棒を提供することである。
【０００４】
本発明のもう一つの目的は、構造が簡単であって、取り付け及び取り外しが容易で操作しやすい衝撃式痛み緩和指圧棒を提供することである。
本発明のまたもう一つの目的は、電力を使用することなくマイナスイオンを発生可能であるだけでなく、各部位に使用可能な利便性が向上する衝撃式痛み緩和指圧棒を提供することである。
【課題を解決するための手段】
【０００５】
上述の目的を達成するために、本発明による衝撃式痛み緩和指圧棒は、第一装着棒と衝撃ユニットを含む。そのうち第一装着棒は、装着孔を有する棒体と、錐形を呈しかつ棒体の軸方向の一端に連接する指圧ユニットと、指圧ユニットの内部に設けられる設置部と、設置部に装着される受撃ユニットとを有する。衝撃ユニットは、第一装着棒の装着孔に活動可能であるように装着される第一衝撃部を有し、そのうち第一衝撃部が第一装着棒の受撃ユニットに衝撃を与え、放射作用を発生させる。
【発明を実施するための最良の形態】
【０００６】
以下、本発明の特徴と効果を下記の実施例に基づいて説明する。
図１と図２に示すように、本発明の第一実施例による衝撃式痛み緩和指圧棒は下記のものを含む。
第一装着棒１０は、円筒状の棒体１１と、錐形を呈しかつ棒体１１の軸方向の一端に連接する指圧ユニット１２と、接合部１３と、棒体１１に形成される装着孔１４と、指圧ユニット１２の内部に設けられる設置部１５と、設置部１５に装着され衝撃を受けた時マイナスイオンを発生可能な受撃ユニット１７とを有する。
【０００７】
第二装着棒２０は、円筒状の棒体２１と、錐形を呈しかつ棒体２１の軸方向の一端に連接する指圧ユニット２２と、接合部２３と、棒体２１に形成される装着孔２４と、指圧ユニット２２の内部に設けられる設置部２５と、設置部２５に装着され衝撃を受けた時マイナスイオンを発生可能な受撃ユニット２７とを有する。
そのうちの第一装着棒１０は指圧ユニット１２の外径が第二装着棒２０の指圧ユニット２２の外径より大きく、その材質は金属または強化プラスチックなどである。また、第一装着棒１０と第二装着棒２０は装着棒セットに組成されることが可能である。
【０００８】
スライド座３０は、円柱形のボディー３１と、その両側に形成されかつ別々に第一装着棒１０と第二装着棒２０の装着孔１４、２４に連接する連結部３３、３４と、スライド孔３５とを有する。
衝撃ユニット４０は、スライド座３０のスライド孔３５を貫通してスライド可能な軸棒４１と、球状を呈し軸棒４１の両端に連接しかつ第一装着棒１０と第二装着棒２０の受撃ユニット１７、２７に衝撃を与える第一衝撃部４３及び第二衝撃部４４を有する。
【０００９】
続いて、第一実施例の使用と操作について説明する。
図３に示すように、まず片手で指圧棒を持ち、必要に応じて第一装着棒１０または第二装着棒１０を選択して指圧する、即ち指圧ユニット１２または指圧ユニット２２を人体の所定の部位に対応させる。続いて指圧棒を上下に振動させる。この時、衝撃ユニット４０は上下に移動し、下方に位置する指圧ユニットの受撃ユニット１７または受撃ユニット２７に衝撃を与えるため、受撃ユニット１７または受撃ユニット２７はマイナスイオンを発生し、指圧ユニットが位置する部位にかける。
したがって、第一実施例は極めて使いやすく、人体を指圧するという目的を達成可能である。また構造が簡単で使用に便利な点を有するだけでなく、指圧ユニットが位置する部位に対し、マイナスイオンをスムーズに発生・放射可能である。
【００１０】
続いて、本発明の第二実施例について説明する。
図４に示すように、第一装着棒１０Ａと第二装着棒２０Ａは一体成型される（または一体に組成される）。スライド座３０Ａは第一装着棒１０Ａと第二装着棒２０Ａの装着孔に露出しないように固定される。
また、第一実施例と違うのは、第二実施例の受撃ユニット１７Ａ、２７Ａは円弧形の薄層状を呈し、粉末から成型されることが可能である。
【００１１】
第二実施例のうちそれぞれのユニットは、下記のように変化することも可能である。
すなわち、第二実施例におけるスライド座を除いても装着を完成させることが可能である。また衝撃ユニットには軸棒を設けなくても、衝撃ユニットを往復移動させることが可能である。
さらに、図５に示すように、第二実施例はそのうちの中の一つの第一装着棒１０Ｂ（または第二装着棒）を含む一側のみに簡易化されることが可能である。これは本発明の請求範囲に含まれる。
第二実施例における第一装着棒１０Ｂの指圧ユニット１２Ａは単独のユニットである。指圧ユニット１２Ａはねじ山とねじ山とを噛み合わせることで第一装着棒１０Ｂに装着される。受撃ユニット１７Ｂは第一装着棒１０Ｂと指圧ユニット１２Ａに挟まれて固定される。
【００１２】
また図６に示すのは本発明の第三実施例である。そのうち第一装着棒１０Ｃは棒体１１Ｃ、指圧ユニット１２Ｃ及び連接ユニット１８Ｃから組成される。第二装着棒２０Ｃは棒体２１Ｃ、指圧ユニット２２Ｃ及び連接ユニット２８Ｃから組成される。かつ第一装着棒１０Ｃと第二装着棒２０Ｃはぞれぞれの受撃ユニットにかぶせる隔離ユニット１９Ｃ、２９Ｃを有する。
以上の本発明の実施例における第一装着棒または第二装着棒の受撃ユニットは菌類の組成物にすることも可能である。同様に衝撃を受けることで人体に菌物を放射することを達成可能である。
【００１３】
上述の実施例の説明により、本発明の長所は下記の通りである。
（１）本発明による衝撃式痛み緩和指圧棒は、指圧棒とマイナスイオン発生装置とを結合させることで、押すと同時に近距離でマイナスイオンを放射するという効果を提供可能である。
（２）本発明による衝撃式痛み緩和指圧棒は、指圧棒とマイナスイオン発生装置とを結合させ、電力を使用することなくマイナスイオンを発生可能であるため、各部位に使用可能な利便性が向上し、エネルギーを無駄にすることを防止可能である。
（３）本発明による衝撃式痛み緩和指圧棒は、構造が簡単であって、取り付け及び取り外しが容易で操作しやすいものである。
【図面の簡単な説明】
【００１４】
【図１】本発明の第一実施例の衝撃式痛み緩和指圧棒が組み立てられた後の断面図である。
【図２】本発明の第一実施例の衝撃式痛み緩和指圧棒が分解された後の断面図である。
【図３】本発明の第一実施例の衝撃式痛み緩和指圧棒の使用状態を示す模式図である。
【図４】本発明の第二実施例の衝撃式痛み緩和指圧棒が組み立てられた後の断面図である。
【図５】本発明の第二実施例の衝撃式痛み緩和指圧棒が組み立てられた後の断面図である。
【図６】本発明の第三実施例の衝撃式痛み緩和指圧棒が組み立てられた後の断面図である。
【符号の説明】
【００１５】
１０、１０Ａ、１０Ｂ、１０Ｃ  第一装着棒、１１、１１Ｃ  棒体、１２、１２Ａ、１２Ｃ  指圧ユニット、１３  接合部、１４  装着孔、１５  設置部、１７、１７Ａ、１７Ｂ  受撃ユニット、１８Ｃ  連接ユニット、１９Ｃ  隔離ユニット、２０、２０Ａ、２０Ｃ  第二装着棒、２１、２１Ｃ  棒体、２２、２２Ｃ  指圧ユニット、２３  接合部、２４  装着孔、２５  設置部、２７、２７Ａ  受撃ユニット、２８Ｃ  連接ユニット、２９Ｃ  隔離ユニット、３０、３０Ａ  スライド座、３１  ボディー、３３、３４  連結部、３５  スライド孔、４０  衝撃ユニット、４１  軸棒、４３  第一衝撃部、４４  第二衝撃部
【図１】
2006055644.tif 000003
【図２】
2006055644.tif 000004
【図３】
2006055644.tif 000005
【図４】
2006055644.tif 000006
【図５】
2006055644.tif 000007
【図６】
2006055644.tif 000008